(57)【要約】【課題】植栽用地に植物を植込むための植込み穴を掘削し、穴壁の崩れを防止してこの穴に植物を植込み、散水を行うという一連の植栽作業を能率よく、且つ安全に行えるようにする。【解決手段】植栽用地に植物を植込むための植込み穴を掘削するさく孔装置１と、植栽用の植物の苗木１２を収納し、植込み穴に苗木１２を植込む収納植込み装置２と、植込み穴に植込まれた植物に散水する散水装置とを一体とした植栽装置を構成する。さく孔装置１には穴壁保護パイプ８を設ける。【選択図】　図１
2004033152.tif 000002
【特許請求の範囲】
【請求項１】
植栽用地に植物を植込むための植込み穴を掘削するさく孔装置と、植栽用の植物を収納し、植込み穴に植物を植込む収納植込み装置と、植込み穴に植込まれた植物に散水する散水装置とを備えた植栽装置。
【請求項２】
さく孔装置が、ガイドシェル上に交換可能に装着されるさく孔機を備えたことを特徴とする請求項１記載の植栽装置。
【請求項３】
さく孔装置が、植込み穴の掘削時に植込み穴に挿入され、植物の植込み後に抜出される穴壁保護パイプを備えたことを特徴とする請求項１または請求項２記載の植栽装置。
【発明の詳細な説明】
【０００１】
【発明の属する技術分野】
本発明は、植栽用地に植物の苗木等を植栽するための植栽装置に関するものである。
【０００２】
【従来の技術】
荒地や法面等の植栽用地に植物を植栽する場合、植栽用地に植物を植込むための植込み穴を掘り、この植込み穴に植物の苗木を植込み、散水を行う。このような植栽作業は従来人手によって行われることが多かった。
しかし、人手による植栽作業は、植栽用地が平坦で地盤が軟らかい場合であっても能率が悪く、植栽用地に固い地盤があるような場合には、さらに能率が悪くなる。
【０００３】
また、植栽用地が法面などの高所である場合は、安全上の問題があり、能率的に植栽作業を行うことが極めて難しい。
そこで、各種の機械装置を用いて作業能率を向上させることが考えられるが、植栽用地の地質や施工環境に合わせて種々の機械装置を準備するには多額の経費を要する。特に、植込み穴を機械で掘削するためには、数種の駆動動力源を持ったさく孔装置を準備する必要があり経済的でない。
【０００４】
また、砂地などで植栽する場合には、植込み穴を掘削中に穴壁が崩れやすく作業効率が悪い。
【０００５】
【発明が解決しようとする課題】
本発明は、植栽作業における上記問題を解決するものであって、植栽用地に植物を植込むための植込み穴を掘削し、穴壁の崩れを防止してこの穴に植物を植込み、散水を行うという一連の植栽作業を能率よく、且つ安全に行うことのできる経済的な植栽装置を提供することを目的とする。
【０００６】
【課題を解決するための手段】
本発明の植栽装置は、植栽用地に植物を植込むための植込み穴を掘削するさく孔装置と、植栽用の植物を収納し、植込み穴に植物を植込む収納植込み装置と、植込み穴に植込まれた植物に散水する散水装置とを備えることにより上記課題を解決している。
【０００７】
この植栽装置は、植込み穴を掘削し、この植込み穴に植物を植込み、散水を行うという一連の植栽作業を一台で効率よく行うことができる。従って多種の機械装置を準備する必要はなく、経費が節減でき経済的である。
植栽用地が法面などの高所である場合でも、直接人手で植込みを行う必要がないため、安全で能率的に植栽作業を行うことができる。
【０００８】
また、さく孔装置が、ガイドシェル上に交換可能に装着されるさく孔機を備えることで、植栽用地の地質に合わせて最適なさく孔機を選択して使用でき、植込み穴の掘削能率が向上する。
さく孔装置が、植込み穴の掘削時に植込み穴に挿入され、植物の植込み後に抜出される穴壁保護パイプを備えていると、植込み穴の穴壁が崩れやすいところでも、確実に植込み穴を形成して効率よく植込み作業を行うことができる。
【０００９】
【発明の実施の形態】
図１は本発明の実施の一形態を示す植栽装置の正面図、図２はさく孔装置の側面図、図３は植栽装置の要部の平面図、図４は植栽装置による植栽作業の説明図である。
この植栽装置は、さく孔装置１と、収納植込み装置２と、散水装置３とを備えている。
【００１０】
さく孔装置１は、ガイドシェル４と、ガイドシェル４上に摺動可能に装着されたキャリッジ５と、キャリッジ５に固定されたオーガ式のさく孔機６とを備えている。キャリッジ５はガイドシェル４に設けられた送り機構（図示略）によってガイドシェルに沿って上下方向への送りが与えられる。さく孔機６はさく孔用のツールとしてオーガ７が挿着されており、オーガ７に回転と送りを与えることでさく孔を行うものである。
【００１１】
また、ガイドシェル４の先端部には、穴壁保護パイプ８がパイプスライド９で上下摺動可能に設けられている。
ガイドシェル４はガイドマウンチング１０にガイドスライド１１で上下摺動可能に支持されており、このガイドマウンチング１０を介して作業用の台車のブーム２２等に搭載される。台車としては、例えば、クレーン車両、各種建設機械、トラクタ、トラック、バギー車等が施工環境、条件に応じて選択される。
【００１２】
収納植込み装置２は、複数本の植物の苗木１２を収納するマガジン１３と、マガジン１３を回転させる回転機構１４と、クランプシリンダ１９により開閉し苗木１２のポット１５を把持するクランプ２０が先端に設けられているクランプアーム１６と、クランプアーム１６を旋回させるスイング機構１７と、クランプアーム１６を上下方向へ移動させるアームスライド１８とを備えている。
【００１３】
この収納植込み装置２は、支持ブラケット２１によってガイドシェル４の側方に支持されている。
散水装置３は、ガイドシェル１４の先端に設置されている。
この植栽装置を用いて植栽作業を行う場合には、まず図４（ａ）に示すように、さく孔装置１を植栽用地Ｇの所定の植込み位置に合わせる。
【００１４】
次に、図４（ｂ）に示すように、さく孔機６でオーガ７を回転させ、ガイドシェル４の送り装置でキャリッジ５に下方への送りを与えて植栽用地Ｇに所定の深さの植込み穴を掘削すると同時に、穴壁保護パイプ８をパイプスライド９で植込み穴内に押し込む。
植込み穴の掘削が終了したら、図４（ｃ）に示すように、キャリッジ５に上方への送りを与えてオーガ７を引上げる。このとき、穴壁保護パイプ８は植込み穴内に残しておく。
【００１５】
それから、図４（ｄ）に示すように、マガジン１３に収納されている苗木１２のポット１５をクランプ２０で把持し、スイング機構１７でクランプアーム１６を旋回させて、植込み穴の真上まで移動させる。
苗木１２のポット１５が植込み穴の真上に位置決めされると、図４（ｅ）に示すように、アームスライド１８を下方へ伸ばして苗木１２を穴壁保護パイプ８内に挿入し、クランプ２０を開いて苗木１２を植込み穴に落とし込み、図４（ｆ）に示すように、クランプアーム１６を旋回させて植込み穴上の位置から離脱させる。
【００１６】
もし、クランプ２０を開いても苗木１２が円滑に植込み穴の底まで落下しないときには、図４（ｇ）に示すように、さく孔機６のオーガ７を回転させないで下方への送りを与え、苗木１２を植込み穴の底まで押し込む。
苗木１２が植込み穴に押し込まれたら、図４（ｈ）に示すように、穴壁保護パイプ８を引上げる。
【００１７】
最後に、図４（ｉ）に示すように、クランプアーム１６を旋回機構１７とアームスライド１８で作動させて苗木１２に土等をかぶせ、散水装置３によって散水を行う。なお、散水装置３は、植込み穴の掘削時に粉塵抑制のために使用することもできる。
上記の植込み工程が終了したら、苗木１２を取り出したあとのマガジン１３を回転機構１４で次の苗木１２が取り出せる位置まで回転させ、さく孔装置１を次の植込み位置に移動させる。
【００１８】
この植栽装置は、植栽用地Ｇに植込み穴を掘削し、この植込み穴に苗木１２を植込み、散水を行うという一連の植栽作業を一台で効率よく行うことができる。従って多種の機械装置を準備する必要はなく、経費が節減でき経済的である。
また、穴壁保護パイプ８を備えているので、植込み穴の穴壁が崩れやすいところでも、確実に植込み穴を形成して効率よく植込み作業を行うことができる。
【００１９】
植栽用地Ｇが法面である場合には、図５に示すように、植栽装置を法面作業用の台車５０に搭載して使用する。
この台車５０は、先端部に支持脚５１を有し、起伏シリンダ５２によって起伏する基端ブーム５３と、ブームスライドシリンダ５４によって基端ブーム５３に沿って摺動する先端ブーム５５とを備えており、この先端ブーム５５に、さく孔装置１のガイドシェル４がガイドマウンチング１０を介して搭載されている。
【００２０】
さく孔装置１を植込み位置に合わせるときには、台車５０を法面に沿って走行させ、基端ブーム３を起伏させて傾斜を合わせ、先端ブームを摺動させる。
位置決め後の植栽工程は、傾斜が異なる他は、図４の場合と同様である。
これにより、植栽用地Ｇが法面などの高所である場合でも、直接人手で植込みを行う必要がないため、安全で能率的に植栽作業を行うことができる。
【００２１】
植栽用地Ｇの地盤が硬く、オーガ式のさく孔機６では植込み穴の掘削が困難な場合には、図６、図７に示すような、ドリフタ式のさく孔機６６、あるいはブレーカ式のさく孔機７６をガイドシェル４に装着して使用する。
ドリフタ式さく孔機６６は、ツールとしてロッド６７が挿着されており、このロッド６７に打撃と回転と送りを与えてさく孔を行うものである。
【００２２】
ブレーカ式さく孔機７６は、ツールとしてチゼル７７が挿着されており、このチゼル７７に打撃と送りを与えてさく孔を行うものである。
これらのさく孔機６、６６、７６は、ガイドシェル４上に容易に装着でき交換可能になっているので、植栽用地Ｇの地質や施工環境に合わせてこれらのさく孔機６、６６、７６を交換すれば植込み穴の掘削能率が向上する。多種の駆動動力源を持ったさく孔装置を準備する必要はなく経済的である。
【００２３】
【発明の効果】
本発明の植栽装置は、植栽用地に植物を植込むための植込み穴を掘削し、穴壁の崩れを防止してこの穴に植物を植込み、散水を行うという一連の植栽作業を能率よく、且つ安全に行うことができ、経済的にも有利な効果が得られる。
【図面の簡単な説明】
【図１】本発明の実施の一形態を示す植栽装置の正面図である。
【図２】さく孔装置の側面図である。
【図３】植栽装置の要部の平面図である。
【図４】植栽装置による植栽作業の説明図である。
【図５】法面作業用の台車に搭載した植栽装置の側面図である。
【図６】ドリフタ式のさく孔機を装着した状態を示すさく孔装置の側面図
【図７】ブレーカ式のさく孔機を装着した状態を示すさく孔装置の側面図
【符号の説明】
１　　　さく孔装置
２　　　収納植込み装置
３　　　散水装置
４　　　ガイドシェル
５　　　キャリッジ
６　　　さく孔機
７　　　オーガ
８　　　穴壁保護パイプ
９　　　パイプスライド
１０　　ガイドマウンチング
１１　　ガイドスライド
１２　　苗木
１３　　マガジン
１４　　回転機構
１５　　ポット
１６　　クランプアーム
１７　　スイング機構
１８　　アームスライド
１９　　クランプシリンダ
２０　　クランプ
２１　　支持ブラケット
５０　　台車
５３　　基端ブーム
５５　　先端ブーム
６６　　さく孔機
７６　　さく孔機
Ｇ　　　植栽用地
【図１】
2004033152.tif 000003
【図２】
2004033152.tif 000004
【図３】
2004033152.tif 000005
【図４】
2004033152.tif 000006
【図５】
2004033152.tif 000007
【図６】
2004033152.tif 000008
【図７】
2004033152.tif 000009